(57)【要約】      （修正有）【課題】通常布団を干す際に四分の一面ずつしか太陽光を受けることはできず、布団を反す作業も容易ではないが、布団の表面か裏面で一度に太陽光を受けることができるよう形成された布団干具を提供する。【解決手段】柵下部に設置する設置部１に、布団の下端部を略垂直に支える布団保持部２を具備し、該布団保持部２と柵７の間に布団を立てるように置くことで天日を表面一面に当てることが可能となる。【選択図】図２
2014100370.tif 000002
【特許請求の範囲】
【請求項１】
柵下部に設置する設置部に、布団の下端部を略垂直に支える布団保持部を具備したことを特徴とする布団干具。
【発明の詳細な説明】
【技術分野】
【０００１】
本発明は、ベランダやバルコニー等の柵下部に設置して使用する干し具であり、主に布団を干すことを目的としたものである。布団の表面又は裏面の一面を一度に太陽光に当てることができるもので、従来の布団一面干し具と比べ、明らかにコンパクトに形成することが可能である。
先行文献の布団一面干し具は、ほぼ布団と同サイズの板状や格子状の支えや、複数の縦棒や横棒を並べる等した支えや、棒をクロスさせるなどの方法で、面をもってして布団の面を支えるものが目立つが、これらの支え方は布団の横幅程度の大きさを必要とする大きな装置になってしまう。本発明は必要な一部分を線で支えるため、明らかにコンパクトに形成可能で、干した布団の裏面の通風も極めて高いものである。
また、先行文献の布団表面を天日に当てる発明は、装置のように大きい物が多く、着脱が容易ではないが、本発明の布団干具は下手摺に被せるだけでも設置使用可能で、取り外しも容易にでき、不使用時には取り外す他、設置したままでもさほど邪魔にはならない。何れにしても先行文献と比べて場所をとらない物であり、且つ布団を効率的に干す能力が十分にある状態で形成可能としたものである。
また、布団表面一面を干す目的の干し具は、壁や柵の外側に布団が位置するよう干すものしか見当たらないが、本発明の布団干具は柵の内側（家側。）でも外側でも設置可能に形成されたものである。
その他、他の先行文献と類似しない特徴として極めて小型であるため、布団干具全体が柵下部に設置可能なものである。
本願発明の布団干具は、布団やマットレスの下端部の一部分を支えることで布団の一面干しが可能なものである。
設置に関し、物干し竿を利用する必要がなく、鏡など反射板を設ける必要はないものである。
【背景技術】
【０００２】
布団の一面干しが可能な小型の干し具で、且つ柵の下部に設置するものは先行文献には現時点で確認できなかった。更に追加する特徴として、布団の下端部のみを支える干し具の先行文献は確認できず、類似する干し具はないと言えるが、強いて言えば布団を支える部材が小型な干し具が、布団干し用具（特許文献１に記載）として次のような考案があり、このように記載されている。
バルコニー又は腰窓用手摺りに取り付けられる取り付け部材と、前記取り付け部材の屋内側にほぼ水平ないし上向きに取り付けられ、基部が手摺りの頂縁よりやや下に位置するアームとからなる。取り付け部材に軸を取り付け、アームの基部側に設けられ前記軸を挿通する
ことができかつ軸が挿通された状態で長手方向に摺動可能な幅の長孔に前記軸を挿通し、不使用時にはアームを垂下させる。
この布団干し用具は壁上部の手摺に設置する干し用具で、布団を支えるアーム基部が頂縁より下部に位置するため、布団に日陰が必ず生じ、布団の一面干しが不可能な干し用具である。
【０００３】
布団干し具（特許文献２に記載）として次のような発明があり、このように記載されている。
庭でもベランダでも両方に兼用することが可能で、しかも布団の片面全面が簡単な操作で一度に日干しできるような布団干し具を安価に提供する。連結具により角度調整自在に連結し、各枠体と連結具の長手方向の長さの総和を布団の長さ程度にする。また、連結具には、庭で使用するときの架台か、またはベランダで使用する時の固定具のいずれか一方を選択的に取り付け可能にする。
この布団干し具は、布団の下端部を垂直に保持しているが、設置位置が極一般的な壁の上部であり、柵の下部に設置できる構造ではない。また、装置なみのサイズでかなり大きく、庭用として使うには日当たりのよい広いスペースが必要であり、マンション等で使用する際もかなり邪魔になるものである。ベランダ用として使用するにしても着脱が極めて難儀であり、不使用時に設置したままの状態は邪魔以外に異様な光景である。使用後毎回取り外すのはあまりに大変であり、置き場に困るサイズとなっている。
【先行技術文献】
【特許文献】
【０００４】
【特許文献１】実登３０８８５６４号広報
【特許文献２】特開２００６−４３０７０号広報
【発明の概要】
【発明が解決しようとする課題】
【０００５】
通常布団を干す際に太陽光を受けることができる面は四分の一の面であり、布団を干す作業を四回繰り返す必要がある。そこで本発明の布団干具は、一度に布団の一面を干すことが可能となり、布団の表面と裏面の二面を干すことで布団干しが完了するよう形成することを目的としたものである。
また、布団を横にした状態で布団の下端部を支え、表面一面を天日に当てることが可能となるよう形成することも目的であり、そうすることで布団を柵の上部まで持ち上げなくてすむようにすることも目的である。
その他、従来からある布団干し具等は、布団幅と同サイズのものが多く見られ、かなりスペースを必要としてしまい、特に不使用時に邪魔になってしまう他、着脱が容易でないものである。そこで本発明の布団干具は従来の物と比べ明らかにコンパクトで、着脱が容易な布団干具を提供することを目的とするものである。
【課題を解決するための手段】
【０００６】
上記目的を解決するために請求項１の干し具は、柵下部に設置する設置部に、布団の下端部を略垂直に支える布団保持部を具備したことを特徴としている。
【０００７】
この請求項１の布団干具によれば、柵の下部に設置する干具であり、干す布団の下端部を略垂直になるよう保持する、布団保持部が具備された布団干具である。
柵の下手摺にフックを引っ掛けるように設置するもの（図１、２等参照。）や、柵に設置部をスライド調節後、留め具により固定設置するもの（図６ａ参照。）や、柵受土台に設置部をスライド調節後、留め具により固定設置するもの（図９参照。）や、柵にはめ込むように設置し、留め具により固定設置するもの（図１２参照。）などがある。また図示した以外の設置方法も含むものである。
フック状の設置部に固定力を求めるなら固定機能として図４ａのように留め具を用いるなど、その他の固定機能を具備してもよい。また、必ず固定機能を具備する必要はない。
【０００８】
布団を支えるための布団保持部は、布団干具の設置部上部に具備する他、下部に具備しても機能するものであり、形状も一つに定めるものではないが、一例としてＪ字状（図１、２、３、４、６、７、９、１０、１１、１２参照。）やＵ字状や（図６参照。）Ｌ字状や（図６参照。）Ｉ字状（３、５、８参照。）を図示している。何れも布団の下端部である極一部を支えることができれば十分であるため、棒状や板状で図示している。布団の下端部を略垂直に支えることが可能なその他の形状も含むものである。
【発明の効果】
【０００９】
通常布団１５を干す際は、布団１５表面の半分を一面とした場合、表面の二面と裏面の二面、合計四面が太陽光にあたるよう布団１５を反す必要があるが、本発明の布団干具７７を使用することで一度に表面又は裏面の全面を干すことが可能となり、布団１５を反す手間を省く効果及び干す時間を半分にする効果がある。
【００１０】
布団干具７７を設置する際、柵７の内側及び外側に設置使用可能なものである。柵７の内側に設置し、布団１５を内側に支えて干すことで、布団１５を柵７の上部まで持ち上げなくても布団１５干しが可能となる効果がある。
【図面の簡単な説明】
【００１１】
【図１】布団干具の斜視図である。
【図２】布団干具の斜視図である。
【図３】ａは布団干具の斜視図であり、ｂは側面図である。
【図４】布団干具の斜視図である。
【図５】ａ布団干具の斜視図であり、ｂは布団干具の斜視図実施例である。
【図６】布団干具の斜視図である。
【図７】布団干具の斜視図実施例である。
【図８】布団干具の斜視図実施例である。
【図９】ａは布団干具の斜視図であり、ｂはａの側面断面図である。
【図１０】布団干具の斜視図実施例である。
【図１１】布団干具の斜視図実施例である。
【図１２】ａは布団干具の斜視図。ｂはａの設置部及び留め具１２の断面図である。
【図１３】布団干具の斜視図実施例である。
【発明を実施するための形態】
【００１２】
以下、本発明を添付図面に示す実施例に基づいて一例を説明する。
【００１３】
布団干具７７の素材の一例としては、合成樹脂素材、木製、金属製やその他の素材を用いて形成してもよく、布団１５を支えることができる強度があるものを使用して形成する。
金属製の物の外側をラバー状の物で覆うよう形成することで、金属の剥き出し感を抑え、同時に滑り止めの効果を付随させることができる。
設置部１の内側（柵７に接地する面。）に、滑り止めを具備することで横滑りを軽減させる他、誤って設置が解除することを防ぐことができる。
また、布団保持部２の布団１５と接触する面に滑り止めを具備することで、布団１５を維持し易くすることができるものである。（延長部４も同様。）
【００１４】
図１に示す布団干具７７は、一対の布団保持部２が具備された布団干具７７である。支え部３の横幅をある程度設けることで安定した布団干しが可能となる。
設置部１はフック形状になっており、柵７の下手摺８に引っ掛けるように設置する。（柵下部に設置する。）図示した布団干具７７は棒状であるが、同じ構造で板状に形成することも可能なものである。
使用方法は、設置された布団干具７７の布団保持部２と柵７との間に布団１５を立てて置くことで、布団１５の表面一面に天日を当てることができる。（図７参照。）
【００１５】
柵７の内側に布団干具７７を設置することで、布団保持部２の先端まで布団１５を持ち上げれば干す事ができ、柵７の上部まで持ち上げる必要がなくなるものである。このように布団１５を干すことで柵越しに天日を受けることが可能となる。
【００１６】
図１に示す布団干具７７は、支え部３が柵受土台１０の角に位置しているが、柵受土台１０の上面で支えるようにしてもよいものである。（全てのタイプの布団干具７７で同じことが言える。）また、足場（床。）で支えるようにしてもよい。（全てのタイプの布団干具７７で同じことが言える。）
図１のｂに示す布団干具７７は、布団保持部２先端に延長部４が具備されている。延長部４は布団保持部２先端に着脱可能に具備し、着脱方法はネジを回し入れるように接続する他、その他の着脱方法を用いてもよいものである。
延長部４を具備することで布団１５の保持能力が向上する。また、布団干具７７を柵７の外側に設置する際、延長部４を持つことで柵７の上面からの設置を容易とする効果も付随される。
【００１７】
図２に示す布団干具７７は、小型な布団干具７７であり、下手摺８に設置部１を設置して使用するものである。基本的には二つを一対として、図示したように使用する。フック形状の設置部１に布団保持部２が具備されたもので、布団保持部２と柵７との間に布団１５を立てて置くことができるものである。図７に示すように布団１５を横にして干すことが可能であり、また布団干具７７の設置間隔を変えて布団１５を縦にして干すことも可能なものである。
布団干具７７を設置した状態で、布団保持部２の上方より差し入れるか、特に布団１５を縦にして干す際には横から差し入れるように干すことが望ましい。
【００１８】
図２の左側に図示した布団干具７７には、通過防止部１７を設けてある。この通過防止部１７を設けた布団干具７７を、図のように柵７の左右に設置部１が位置するよう設置することで固定力が増す効果がある。また、布団干具７７の設置が解除されても、布団干具７７全体が柵７の外側に通過することを防ぐことができる。（落下防止機能。）
図２の布団干具７７は、支え部３先端（図示した下方の横棒部分。）で柵からの通過を防止できるため、支え部３でありながら通過防止部１７でもある。
布団干具７７は柵７と柵７の間を通過できる程横幅を小さく形成することができ、それにより布団干具７７を柵７の外側に設置する際、柵７と柵７の間より布団干具７７を通過させて設置することができるものである。（布団保持部２を外側に向けることができることを指す。）（図１の布団干具７７以外全てのタイプで同じことが言える。）
図２ｂの布団干具７７は、板状の設置部１を具備したもので、布団保持部２は棒状で形成されている。布団保持部２や設置部１は、何れも棒状、板状に形成してもよいものである。
図２ｂ左側の布団干具７７は、布団保持部２に通過防止部１６が具備されている。設置部１に通過防止部１６を具備してもよいが、何れにしても柵７の外側に布団干具７７を設置することが難しくなるデメリットを併せ持つ。
【００１９】
図３に示す布団干具７７は、Ｉ字状の布団保持部２を垂直に具備し、Ｊ字状の布団保持部２を高さ調節可能となるようＩ字状の布団保持部２に設けたものである。Ｊ字状の布団保持部２を上下にスライドさせ、留め具１２で固定することで高さ調節が可能となる。その他の方法で高さ調節機能を具備してもよいものである。
これらの布団保持部２は、図の左側に示すように設置部１の下方に具備してもよく、図の右側に示すように設置部１の上部に具備してもよいものである。
【００２０】
図４ａに示す布団干具７７は、下手摺８に設置された状態を示すものであり、設置部１を設置した後に誤解除することがないよう、固定可能な留め具１２を設けたものである。固定方法は一例であり、その他の固定方も含むものである。全てのタイプの布団干具７７に固定機能を具備してもよいものである。
図４ｂに示す布団干具７７は、柵７にフックを掛けるように設置したものを示している。（柵下部に設置していると言える。下手摺８でなく縦棒である柵７に設置。）
【００２１】
図５ａに示す布団干具７７は、布団保持部２の角度を調節可能にしたものを示すものである。図示した角度調節機能は、形状を変えた（角度を変えた）布団保持部２を用意し、必要に応じて布団保持部２を択一的にセットすることで角度を変えるものである。これは一例であり、その他の角度調節機能も含むものである。
図５ｂに示す布団干具７７は、柵７の内側に設置し、布団保持部２が内側にある状態を図示した実施例である。このように布団１５に角度を付けて干すことで、天日を受けやすくすることができるもので、時間帯によって角度を調節してもよいものである。
また、布団保持部２に挟み固定部１６を具備することで、布団挟み１３の挟持部を固定しやすくすることができる。挟み固定部１６は凹部を形成し壁を立上げ、壁部分に布団挟み１３の挟持部が固定できるようにする他、壁のみで枠のように形成してもよいものである。図示した挟み固定部１６は四角に形成しているが、例えば＋形やＬ形に壁を立上げて形成してもよく、（＋形やＬ形の外周に壁を立ち上げて形成。）その他布団挟み１３の挟持部が固定しやすい形状であればどのような形に形成してもよいものである。
その他、図示した挟み固定部１６は、周囲全てが壁として形成されているが、部分的に壁の途切れが存在するよう形成しても、挟持部を固定しやすくする目的が果たされていればよく、それも壁と言えるものである。
【００２２】
図６ａに示す布団干具７７は、柵７に設置部１を設置する布団干具７７である。布団保持部２を含め、これも柵下部に設置した布団干具７７と言えるものである。左側に示す布団干具７７は、設置部１を左右に伸縮可能に形成し、留め具１２により固定する。支え部３と接地脚５を設けることで布団干具７７の設置が安定する。接地脚５は回転させることで支え部３にネジのように伸縮させることができ、高さを調節することができる。その他の高さ調節機能を具備してもよいものである。
右側に示す布団干具７７は、柵７を挟み込むように設置部１を設置し、留め具１２により固定している。（設置部１断面図は図１２ｂ参照。）
図６ｂは図３に示す高さ調節可能な布団保持部２を具備した布団干具７７であり、板タイプとして図示したものである。高さ調節機能としては、凹凸を設けた着脱式である。
【００２３】
図７は図２ａに示す布団干具７７を用いて、布団１５を横にして干した状態を示す実施例図である。手摺６上部から布団１５を布団挟み１３で固定することで安定した固定を得ることができる。布団保持部２は布団１５の下側にくる部分を支えることができれば十分なため、布団干具７７を小型に形成することが可能となっている。
布団１５を干す際は布団１５の下端部を柵７に沿って布団保持部２まで下げるようにすると布団１５をセットしやすい。通常の布団干しで、敷布団１５は掛け布団１５と比べるとやや大変であるが、本発明の布団干具７７を使用することで柵７の上部まで布団１５全体を上げなくてすむため、比較的容易な布団干しが可能となる。
【００２４】
図８は、図５に示す布団干具７７の実施例である。布団１５を縦に干すことで通常と同じ横幅で干す事が可能で、布団１５やマットレス１５を干すことができる。布団保持部２を長く形成し、安定度を高めてもよい。
挟み固定部１６は布団保持部２の先端に具備された物を図示しているが、先端以外の部位に具備する他、複数の挟み固定部１６を具備してもよいものである。また挟み固定部１６は、布団保持部２に凹凸を設けて着脱自在に形成してもよい。（凹凸を設ける以外の着脱方法も含む。）
支え部３は柵受土台１０の角にくるように設置しても、図８に示すように柵受土台１０の上面にきてもよいものである。
挟み固定部１６の壁９の高さは、布団挟み１３の挟持部が引っ掛かりやすく、固定しやすい高さであれば特に定めるものではない。あくまでも一例であるが、三センチ前後程度の高さを設けてもよいものである。
その他、挟み固定部１６を具備することなく、布団保持部２に直接布団１５を挟持可能な部材を一体的に形成してもよい。（布団保持部２と布団挟み１３が一体に形成されたような物。）（全ての布団干具７７で同じことが言える。）
【００２５】
図９に示す布団干具７７は、下手摺８がない柵７の下部に、柵受土台１０がある場合に設置可能な布団干具７７である。柵受土台１０を挟み込むように凹凸を持つ設置部１を噛み合わせ、（着脱可能や伸縮可能なスライド式など。）留め具１２を用いて固定する。これは一例であり、柵受土台１０に設置可能であれば設置方法や固定方法はその他の方法でもよいものである。
図９ｂの左側に示す図は、柵受土台１０に厚みがある場合の固定であり、右側に示す図は厚みの少ない柵受土台１０に固定する際の断面図である。また、図９ｂ右側の図は、布団保持部２を高さ調節可能にしたものであり、安定度を得るため接地脚５５を具備したタイプである。
図９に示すタイプの布団干具７７は、図１などに示す、手摺６、柵７、下手摺８とからなる柵下部に設置することも可能なものである。（図１の柵下部の柵受土台１０に設置することもできる。）
また、このように柵受土台１０に設置するタイプの布団干具７７の設置部１もフック形状と言えるものである。
【００２６】
図１０に示す布団干具７７は、図２ｂに示す布団保持部２を具備したものであり、柵７の外側に布団保持部２がくるように設置した状態を示すものである。本発明の布団干具７７は布団１５の下端部を略垂直に支える柵下部に設置されたものであり、柵上部の手摺６に設置されたものは、以前出願した干し具、特願２０１２−７９２９５である。本発明の布団干具７７は、柵上部に設置された干し具で干された布団１５の下端部を支えることや、通常の布団干しの際、布団１５の下端部を補助的に支えることも可能なものである。
【００２７】
図１１に示す布団干具７７は、壁９と一体化した柵７の下部に設置するものである。布団干具７７を内側に設置した際、柵７の場合と比べ全体が日陰になる部分が多くなるため、柵７の外側に設置するとよい。柵７が壁９と一体化しているが、柵７がある以上柵下部は存在するため、図９の布団干具７７のように柵受土台１０に設置することができる。柵受土台１０と接触する面が多い設置部１の場合、接触面に滑り止めを設けた際に効果を十分に得ることができる。
このように柵７と壁９が一体になっている場合、図４ｂの布団干具７７や、図６ａの布団干具７７を柵７に設置することも可能である。
【００２８】
図１２に示す布団干具７７は、下手摺８や、図９に示す布団干具７７が設置可能な柵受土台１０がない柵７の場合、縦棒の柵下部に設置部１を設置可能なものを図示したものである。
図１２ｂは設置部１の断面図を図示したものであり、これで柵７を覆うように設置し、留め具１２で固定する。設置部１は柵７下方の足場に接地してもよく、そうすることで安定力が向上する。布団保持部２は凹凸を設けた着脱式で高さ調節可能としたものである。図３に示すようなスライド固定式の高さ調節機能を具備してもよいものである。
また、図１２ｂの断面図を見るとわかるように、図１２に示す布団干具７７の設置部１もフック形状と言えるものである。
【００２９】
図１３に示す布団干具７７は、壁９と一体化した柵７の下部に設置するものである。図１１に示すものと同様、柵７の外側に設置している。布団保持部２に、新たな布団保持部２が具備された布団干具７７である。図示した新たな布団保持部２は板状であるが、棒状に形成してもよい。
布団保持部２が二股に形成されたもので、より安定した布団保持が可能となる。通常の布団保持部２に着脱自在にもう一つの布団保持部２を形成してもよい。また、布団保持部２を伸縮自在に形成してもよく、二つの布団干具７７の間で伸縮可能に具備してもよい。何れにしても趣旨を剥脱しない、布団１５の下端部を支えるものである。
布団１５を横にして干す際は布団挟み１３で手摺６上部から挟んで干し、布団１５を縦にして干す際は柵受土台１０近辺で柵７と布団１５を布団挟み１３で挟んで干してもよい。
【００３０】
以上、本発明を実施例に基づき説明したが、本発明は上記実施例に限定されるものではなく、本発明の趣旨を剥脱しない範囲内で色々な改良、変形が可能であることは容易に推察できるものである。
例えば、布団保持部２の先端に具備された挟み固定部１６は、着脱可能に形成してもよく、布団挟み１３が固定しやすい形状であれば必ず図示した形に形成する必要はない。（布団挟み１３挟持部の固定を目的としてどのような形に形成してもよい。）また、挟み固定部１６は必要に応じて複数具備しても、複数着脱自在に形成してもよい。
全ての部位において板状に形成図示した部分の軽量化のために棒状で形成してもよいものである。
図２に示す通過防止部１７は、必ず定位置に具備するものではなく、例えば布団保持部２の接続部分に具備する他、逆に布団保持部２先端（上部。）に具備してもよく、機能する場所であれば図示する以外の位置に具備してもよいものである。また、複数具備してもよい。
柵下部に設置するとは、図６に示す布団干具７７のように、柵７の中央付近に取り付けた場合でも布団保持部２が柵の下方に位置し、布団１５の下端部を支える場合は柵下部に設置したと言えるものである。
【００３１】
設置部１の設置される面に滑り止めを具備することで安定した設置が可能となる。布団保持部２の布団と接触する面に滑り止めを具備することで安定した天日干しが可能となる。
柵下部とは、本願発明の布団干具７７を設置した全ての部分が柵下部と言えるものであり、図示した全ての布団干具７７は柵下部に設置していると言えるものである。
布団１５やマットレス１５の下端部とは、布団１５を干す際に下に位置する部分であり、図７の布団下端部は布団１５の横面の長い部分であり、図８は縦の短い部分を指している。
【符号の説明】
【００３２】
１    設置部
２    布団保持部
３    支え部
４    延長部
５    接地脚
６    手摺
７    柵
８    下手摺
９    壁
１０  柵受土台
１１  設置孔
１２  留め具
１３  布団挟み
１４  スライド調節部
１５  布団・マットレス
１６  挟み固定部
１７  通過防止部
７７  干し具
【図１】
2014100370.tif 000003
【図２】
2014100370.tif 000004
【図３】
2014100370.tif 000005
【図４】
2014100370.tif 000006
【図５】
2014100370.tif 000007
【図６】
2014100370.tif 000008
【図７】
2014100370.tif 000009
【図８】
2014100370.tif 000010
【図９】
2014100370.tif 000011
【図１０】
2014100370.tif 000012
【図１１】
2014100370.tif 000013
【図１２】
2014100370.tif 000014
【図１３】
2014100370.tif 000015
【手続補正書】
【提出日】平成25年2月20日(2013.2.20)
【手続補正１】
【補正対象書類名】特許請求の範囲
【補正対象項目名】全文
【補正方法】変更
【補正の内容】
【特許請求の範囲】
【請求項１】
柵下部に設置する設置部に、布団の下端部を略垂直に支える布団保持部を具備し、全体が柵下部に設置可能な布団干具。
【手続補正２】
【補正対象書類名】明細書
【補正対象項目名】全文
【補正方法】変更
【補正の内容】
【発明の詳細な説明】
【技術分野】
【０００１】
本発明は、ベランダやバルコニー等の柵下部に設置して使用する干し具であり、主に布団を干すことを目的としたものである。布団の表面又は裏面の一面を一度に太陽光に当てることができるもので、従来の布団一面干し具と比べ、明らかにコンパクトに形成することが可能である。
先行文献の布団一面干し具は、ほぼ布団と同サイズの板状や格子状の支えや、複数の縦棒や横棒を並べる等した支えや、棒をクロスさせるなどの方法で、面をもってして布団の面を支えるものが目立つが、これらの支え方は布団の横幅程度の大きさを必要とする大きな装置になってしまう。本発明は必要な一部分を線で支えるため、明らかにコンパクトに形成可能で、干した布団の裏面の通風も極めて高いものである。
また、先行文献の布団表面を天日に当てる発明は、装置のように大きい物が多く、着脱が容易ではないが、本発明の布団干具は下手摺に被せるだけでも設置使用可能で、取り外しも容易にでき、不使用時には取り外す他、設置したままでもさほど邪魔にはならない。何れにしても先行文献と比べて場所をとらない物であり、且つ布団を効率的に干す能力が十分にある状態で形成可能としたものである。
また、布団表面一面を干す目的の干し具は、壁や柵の外側に布団が位置するよう干すものしか見当たらないが、本発明の布団干具は柵の内側（家側。）でも外側でも設置可能に形成されたものである。
その他、他の先行文献と類似しない特徴として極めて小型であるため、布団干具全体が柵下部に設置可能なものである。
本願発明の布団干具は、布団やマットレスの下端部の一部分を支えることで布団の一面干しが可能なものである。
設置に関し、物干し竿を利用する必要がなく、鏡など反射板を設ける必要はないものである。
【背景技術】
【０００２】
布団の一面干しが可能な小型の干し具で、且つ柵の下部に設置するものは先行文献には現時点で確認できなかった。更に追加する特徴として、布団の下端部のみを支える干し具の先行文献は確認できず、類似する干し具はないと言えるが、強いて言えば布団を支える部材が小型な干し具が、布団干し用具（特許文献１に記載）として次のような考案があり、このように記載されている。
バルコニー又は腰窓用手摺りに取り付けられる取り付け部材と、前記取り付け部材の屋内側にほぼ水平ないし上向きに取り付けられ、基部が手摺りの頂縁よりやや下に位置するアームとからなる。取り付け部材に軸を取り付け、アームの基部側に設けられ前記軸を挿通する
ことができかつ軸が挿通された状態で長手方向に摺動可能な幅の長孔に前記軸を挿通し、不使用時にはアームを垂下させる。
この布団干し用具は壁上部の手摺に設置する干し用具で、布団を支えるアーム基部が頂縁より下部に位置するため、布団に日陰が必ず生じ、布団の一面干しが不可能な干し用具である。
【０００３】
布団干し具（特許文献２に記載）として次のような発明があり、このように記載されている。
庭でもベランダでも両方に兼用することが可能で、しかも布団の片面全面が簡単な操作で一度に日干しできるような布団干し具を安価に提供する。連結具により角度調整自在に連結し、各枠体と連結具の長手方向の長さの総和を布団の長さ程度にする。また、連結具には、庭で使用するときの架台か、またはベランダで使用する時の固定具のいずれか一方を選択的に取り付け可能にする。
この布団干し具は、布団の下端部を垂直に保持しているが、設置位置が極一般的な壁の上部であり、柵の下部に設置できる構造ではない。また、装置なみのサイズでかなり大きく、庭用として使うには日当たりのよい広いスペースが必要であり、マンション等で使用する際もかなり邪魔になるものである。ベランダ用として使用するにしても着脱が極めて難儀であり、不使用時に設置したままの状態は邪魔以外に異様な光景である。使用後毎回取り外すのはあまりに大変であり、置き場に困るサイズとなっている。
【先行技術文献】
【特許文献】
【０００４】
【特許文献１】実登３０８８５６４号広報
【特許文献２】特開２００６−４３０７０号広報
【発明の概要】
【発明が解決しようとする課題】
【０００５】
通常布団を干す際に太陽光を受けることができる面は四分の一の面であり、布団を干す作業を四回繰り返す必要がある。そこで本発明の布団干具は、一度に布団の一面を干すことが可能となり、布団の表面と裏面の二面を干すことで布団干しが完了するよう形成することを目的としたものである。
また、布団を横にした状態で布団の下端部を支え、表面一面を天日に当てることが可能となるよう形成することも目的であり、そうすることで布団を柵の上部まで持ち上げなくてすむようにすることも目的である。
その他、従来からある布団干し具等は、布団幅と同サイズのものが多く見られ、かなりスペースを必要としてしまい、特に不使用時に邪魔になってしまう他、着脱が容易でないものである。そこで本発明の布団干具は従来の物と比べ明らかにコンパクトで、着脱が容易な布団干具を提供することを目的とするものである。
【課題を解決するための手段】
【０００６】
上記目的を解決するために請求項１の布団干具は、柵下部に設置する設置部に、布団の下端部を略垂直に支える布団保持部を具備し、全体が柵下部に設置可能なことを特徴としている。
【０００７】
この請求項１の布団干具によれば、柵の下部に設置する干具であり、干す布団の下端部を略垂直になるよう保持する、布団保持部が具備された布団干具である。
柵の下手摺にフックを引っ掛けるように設置するもの（図１、２等参照。）や、柵に設置部をスライド調節後、留め具により固定設置するもの（図６ａ参照。）や、柵受土台に設置部をスライド調節後、留め具により固定設置するもの（図９参照。）や、柵にはめ込むように設置し、留め具により固定設置するもの（図１２参照。）などがある。また図示した以外の設置方法も含むものである。
フック状の設置部に固定力を求めるなら固定機能として図４ａのように留め具を用いるなど、その他の固定機能を具備してもよい。また、必ず固定機能を具備する必要はない。
【０００８】
布団を支えるための布団保持部は、布団干具の設置部上部に具備する他、下部に具備しても機能するものであり、形状も一つに定めるものではないが、一例としてＪ字状（図１、２、３、４、６、７、９、１０、１１、１２参照。）やＵ字状や（図６参照。）Ｌ字状や（図６参照。）Ｉ字状（３、５、８参照。）を図示している。何れも布団の下端部である極一部を支えることができれば十分であるため、棒状や板状で図示している。布団の下端部を略垂直に支えることが可能なその他の形状も含むものである。
【発明の効果】
【０００９】
通常布団１５を干す際は、布団１５表面の半分を一面とした場合、表面の二面と裏面の二面、合計四面が太陽光にあたるよう布団１５を反す必要があるが、本発明の布団干具７７を使用することで一度に表面又は裏面の全面を干すことが可能となり、布団１５を反す手間を省く効果及び干す時間を半分にする効果がある。
【００１０】
布団干具７７を設置する際、柵７の内側及び外側に設置使用可能なものである。柵７の内側に設置し、布団１５を内側に支えて干すことで、布団１５を柵７の上部まで持ち上げなくても布団１５干しが可能となる効果がある。
【図面の簡単な説明】
【００１１】
【図１】布団干具の斜視図である。
【図２】布団干具の斜視図である。
【図３】ａは布団干具の斜視図であり、ｂは側面図である。
【図４】布団干具の斜視図である。
【図５】ａ布団干具の斜視図であり、ｂは布団干具の斜視図実施例である。
【図６】布団干具の斜視図である。
【図７】布団干具の斜視図実施例である。
【図８】布団干具の斜視図実施例である。
【図９】ａは布団干具の斜視図であり、ｂはａの側面断面図である。
【図１０】布団干具の斜視図実施例である。
【図１１】布団干具の斜視図実施例である。
【図１２】ａは布団干具の斜視図。ｂはａの設置部及び留め具１２の断面図である。
【図１３】布団干具の斜視図実施例である。
【発明を実施するための形態】
【００１２】
以下、本発明を添付図面に示す実施例に基づいて一例を説明する。
【００１３】
布団干具７７の素材の一例としては、合成樹脂素材、木製、金属製やその他の素材を用いて形成してもよく、布団１５を支えることができる強度があるものを使用して形成する。
金属製の物の外側をラバー状の物で覆うよう形成することで、金属の剥き出し感を抑え、同時に滑り止めの効果を付随させることができる。
設置部１の内側（柵７に接地する面。）に、滑り止めを具備することで横滑りを軽減させる他、誤って設置が解除することを防ぐことができる。
また、布団保持部２の布団１５と接触する面に滑り止めを具備することで、布団１５を維持し易くすることができるものである。（延長部４も同様。）
【００１４】
図１に示す布団干具７７は、一対の布団保持部２が具備された布団干具７７である。支え部３の横幅をある程度設けることで安定した布団干しが可能となる。
設置部１はフック形状になっており、柵７の下手摺８に引っ掛けるように設置する。（柵下部に設置する。）図示した布団干具７７は棒状であるが、同じ構造で板状に形成することも可能なものである。
使用方法は、設置された布団干具７７の布団保持部２と柵７との間に布団１５を立てて置くことで、布団１５の表面一面に天日を当てることができる。（図７参照。）
【００１５】
柵７の内側に布団干具７７を設置することで、布団保持部２の先端まで布団１５を持ち上げれば干す事ができ、柵７の上部まで持ち上げる必要がなくなるものである。このように布団１５を干すことで柵越しに天日を受けることが可能となる。
【００１６】
図１に示す布団干具７７は、支え部３が柵受土台１０の角に位置しているが、柵受土台１０の上面で支えるようにしてもよいものである。（全てのタイプの布団干具７７で同じことが言える。）また、足場（床。）で支えるようにしてもよい。（全てのタイプの布団干具７７で同じことが言える。）
図１のｂに示す布団干具７７は、布団保持部２先端に延長部４が具備されている。延長部４は布団保持部２先端に着脱可能に具備し、着脱方法はネジを回し入れるように接続する他、その他の着脱方法を用いてもよいものである。
延長部４を具備することで布団１５の保持能力が向上する。また、布団干具７７を柵７の外側に設置する際、延長部４を持つことで柵７の上面からの設置を容易とする効果も付随される。
【００１７】
図２に示す布団干具７７は、小型な布団干具７７であり、下手摺８に設置部１を設置して使用するものである。基本的には二つを一対として、図示したように使用する。フック形状の設置部１に布団保持部２が具備されたもので、布団保持部２と柵７との間に布団１５を立てて置くことができるものである。図７に示すように布団１５を横にして干すことが可能であり、また布団干具７７の設置間隔を変えて布団１５を縦にして干すことも可能なものである。
布団干具７７を設置した状態で、布団保持部２の上方より差し入れるか、特に布団１５を縦にして干す際には横から差し入れるように干すことが望ましい。
【００１８】
図２の左側に図示した布団干具７７には、通過防止部１７を設けてある。この通過防止部１７を設けた布団干具７７を、図のように柵７の左右に設置部１が位置するよう設置することで固定力が増す効果がある。また、布団干具７７の設置が解除されても、布団干具７７全体が柵７の外側に通過することを防ぐことができる。（落下防止機能。）
図２の布団干具７７は、支え部３先端（図示した下方の横棒部分。）で柵からの通過を防止できるため、支え部３でありながら通過防止部１７でもある。
布団干具７７は柵７と柵７の間を通過できる程横幅を小さく形成することができ、それにより布団干具７７を柵７の外側に設置する際、柵７と柵７の間より布団干具７７を通過させて設置することができるものである。（布団保持部２を外側に向けることができることを指す。）（図１の布団干具７７以外全てのタイプで同じことが言える。）
図２ｂの布団干具７７は、板状の設置部１を具備したもので、布団保持部２は棒状で形成されている。布団保持部２や設置部１は、何れも棒状、板状に形成してもよいものである。
図２ｂ左側の布団干具７７は、布団保持部２に通過防止部１６が具備されている。設置部１に通過防止部１６を具備してもよいが、何れにしても柵７の外側に布団干具７７を設置することが難しくなるデメリットを併せ持つ。
【００１９】
図３に示す布団干具７７は、Ｉ字状の布団保持部２を垂直に具備し、Ｊ字状の布団保持部２を高さ調節可能となるようＩ字状の布団保持部２に設けたものである。Ｊ字状の布団保持部２を上下にスライドさせ、留め具１２で固定することで高さ調節が可能となる。その他の方法で高さ調節機能を具備してもよいものである。
これらの布団保持部２は、図の左側に示すように設置部１の下方に具備してもよく、図の右側に示すように設置部１の上部に具備してもよいものである。
【００２０】
図４ａに示す布団干具７７は、下手摺８に設置された状態を示すものであり、設置部１を設置した後に誤解除することがないよう、固定可能な留め具１２を設けたものである。固定方法は一例であり、その他の固定方も含むものである。全てのタイプの布団干具７７に固定機能を具備してもよいものである。
図４ｂに示す布団干具７７は、柵７にフックを掛けるように設置したものを示している。（柵下部に設置していると言える。下手摺８でなく縦棒である柵７に設置。）
【００２１】
図５ａに示す布団干具７７は、布団保持部２の角度を調節可能にしたものを示すものである。図示した角度調節機能は、形状を変えた（角度を変えた）布団保持部２を用意し、必要に応じて布団保持部２を択一的にセットすることで角度を変えるものである。これは一例であり、その他の角度調節機能も含むものである。
図５ｂに示す布団干具７７は、柵７の内側に設置し、布団保持部２が内側にある状態を図示した実施例である。このように布団１５に角度を付けて干すことで、天日を受けやすくすることができるもので、時間帯によって角度を調節してもよいものである。
また、布団保持部２に挟み固定部１６を具備することで、布団挟み１３の挟持部を固定しやすくすることができる。挟み固定部１６は凹部を形成し壁を立上げ、壁部分に布団挟み１３の挟持部が固定できるようにする他、壁のみで枠のように形成してもよいものである。図示した挟み固定部１６は四角に形成しているが、例えば＋形やＬ形に壁を立上げて形成してもよく、（＋形やＬ形の外周に壁を立ち上げて形成。）その他布団挟み１３の挟持部が固定しやすい形状であればどのような形に形成してもよいものである。
その他、図示した挟み固定部１６は、周囲全てが壁として形成されているが、部分的に壁の途切れが存在するよう形成しても、挟持部を固定しやすくする目的が果たされていればよく、それも壁と言えるものである。
【００２２】
図６ａに示す布団干具７７は、柵７に設置部１を設置する布団干具７７である。布団保持部２を含め、これも柵下部に設置した布団干具７７と言えるものである。左側に示す布団干具７７は、設置部１を左右に伸縮可能に形成し、留め具１２により固定する。支え部３と接地脚５を設けることで布団干具７７の設置が安定する。接地脚５は回転させることで支え部３にネジのように伸縮させることができ、高さを調節することができる。その他の高さ調節機能を具備してもよいものである。
右側に示す布団干具７７は、柵７を挟み込むように設置部１を設置し、留め具１２により固定している。（設置部１断面図は図１２ｂ参照。）
図６ｂは図３に示す高さ調節可能な布団保持部２を具備した布団干具７７であり、板タイプとして図示したものである。高さ調節機能としては、凹凸を設けた着脱式である。
【００２３】
図７は図２ａに示す布団干具７７を用いて、布団１５を横にして干した状態を示す実施例図である。手摺６上部から布団１５を布団挟み１３で固定することで安定した固定を得ることができる。布団保持部２は布団１５の下側にくる部分を支えることができれば十分なため、布団干具７７を小型に形成することが可能となっている。
布団１５を干す際は布団１５の下端部を柵７に沿って布団保持部２まで下げるようにすると布団１５をセットしやすい。通常の布団干しで、敷布団１５は掛け布団１５と比べるとやや大変であるが、本発明の布団干具７７を使用することで柵７の上部まで布団１５全体を上げなくてすむため、比較的容易な布団干しが可能となる。
【００２４】
図８は、図５に示す布団干具７７の実施例である。布団１５を縦に干すことで通常と同じ横幅で干す事が可能で、布団１５やマットレス１５を干すことができる。布団保持部２を長く形成し、安定度を高めてもよい。
挟み固定部１６は布団保持部２の先端に具備された物を図示しているが、先端以外の部位に具備する他、複数の挟み固定部１６を具備してもよいものである。また挟み固定部１６は、布団保持部２に凹凸を設けて着脱自在に形成してもよい。（凹凸を設ける以外の着脱方法も含む。）
支え部３は柵受土台１０の角にくるように設置しても、図８に示すように柵受土台１０の上面にきてもよいものである。
挟み固定部１６の壁９の高さは、布団挟み１３の挟持部が引っ掛かりやすく、固定しやすい高さであれば特に定めるものではない。あくまでも一例であるが、三センチ前後程度の高さを設けてもよいものである。
その他、挟み固定部１６を具備することなく、布団保持部２に直接布団１５を挟持可能な部材を一体的に形成してもよい。（布団保持部２と布団挟み１３が一体に形成されたような物。）（全ての布団干具７７で同じことが言える。）
【００２５】
図９に示す布団干具７７は、下手摺８がない柵７の下部に、柵受土台１０がある場合に設置可能な布団干具７７である。柵受土台１０を挟み込むように凹凸を持つ設置部１を噛み合わせ、（着脱可能や伸縮可能なスライド式など。）留め具１２を用いて固定する。これは一例であり、柵受土台１０に設置可能であれば設置方法や固定方法はその他の方法でもよいものである。
図９ｂの左側に示す図は、柵受土台１０に厚みがある場合の固定であり、右側に示す図は厚みの少ない柵受土台１０に固定する際の断面図である。また、図９ｂ右側の図は、布団保持部２を高さ調節可能にしたものであり、安定度を得るため接地脚５５を具備したタイプである。
図９に示すタイプの布団干具７７は、図１などに示す、手摺６、柵７、下手摺８とからなる柵下部に設置することも可能なものである。（図１の柵下部の柵受土台１０に設置することもできる。）
また、このように柵受土台１０に設置するタイプの布団干具７７の設置部１もフック形状と言えるものである。
【００２６】
図１０に示す布団干具７７は、図２ｂに示す布団保持部２を具備したものであり、柵７の外側に布団保持部２がくるように設置した状態を示すものである。本発明の布団干具７７は布団１５の下端部を略垂直に支える柵下部に設置されたものであり、柵上部の手摺６に設置されたものは、以前出願した干し具、特願２０１２−７９２９５である。本発明の布団干具７７は、柵上部に設置された干し具で干された布団１５の下端部を支えることや、通常の布団干しの際、布団１５の下端部を補助的に支えることも可能なものである。
【００２７】
図１１に示す布団干具７７は、壁９と一体化した柵７の下部に設置するものである。布団干具７７を内側に設置した際、柵７の場合と比べ全体が日陰になる部分が多くなるため、柵７の外側に設置するとよい。柵７が壁９と一体化しているが、柵７がある以上柵下部は存在するため、図９の布団干具７７のように柵受土台１０に設置することができる。柵受土台１０と接触する面が多い設置部１の場合、接触面に滑り止めを設けた際に効果を十分に得ることができる。
このように柵７と壁９が一体になっている場合、図４ｂの布団干具７７や、図６ａの布団干具７７を柵７に設置することも可能である。
【００２８】
図１２に示す布団干具７７は、下手摺８や、図９に示す布団干具７７が設置可能な柵受土台１０がない柵７の場合、縦棒の柵下部に設置部１を設置可能なものを図示したものである。
図１２ｂは設置部１の断面図を図示したものであり、これで柵７を覆うように設置し、留め具１２で固定する。設置部１は柵７下方の足場に接地してもよく、そうすることで安定力が向上する。布団保持部２は凹凸を設けた着脱式で高さ調節可能としたものである。図３に示すようなスライド固定式の高さ調節機能を具備してもよいものである。
また、図１２ｂの断面図を見るとわかるように、図１２に示す布団干具７７の設置部１もフック形状と言えるものである。
【００２９】
図１３に示す布団干具７７は、壁９と一体化した柵７の下部に設置するものである。図１１に示すものと同様、柵７の外側に設置している。布団保持部２に、新たな布団保持部２が具備された布団干具７７である。図示した新たな布団保持部２は板状であるが、棒状に形成してもよい。
布団保持部２が二股に形成されたもので、より安定した布団保持が可能となる。通常の布団保持部２に着脱自在にもう一つの布団保持部２を形成してもよい。また、布団保持部２を伸縮自在に形成してもよく、二つの布団干具７７の間で伸縮可能に具備してもよい。何れにしても趣旨を剥脱しない、布団１５の下端部を支えるものである。
布団１５を横にして干す際は布団挟み１３で手摺６上部から挟んで干し、布団１５を縦にして干す際は柵受土台１０近辺で柵７と布団１５を布団挟み１３で挟んで干してもよい。
【００３０】
以上、本発明を実施例に基づき説明したが、本発明は上記実施例に限定されるものではなく、本発明の趣旨を剥脱しない範囲内で色々な改良、変形が可能であることは容易に推察できるものである。
例えば、布団保持部２の先端に具備された挟み固定部１６は、着脱可能に形成してもよく、布団挟み１３が固定しやすい形状であれば必ず図示した形に形成する必要はない。（布団挟み１３挟持部の固定を目的としてどのような形に形成してもよい。）また、挟み固定部１６は必要に応じて複数具備しても、複数着脱自在に形成してもよい。
全ての部位において板状に形成図示した部分の軽量化のために棒状で形成してもよいものである。
図２に示す通過防止部１７は、必ず定位置に具備するものではなく、例えば布団保持部２の接続部分に具備する他、逆に布団保持部２先端（上部。）に具備してもよく、機能する場所であれば図示する以外の位置に具備してもよいものである。また、複数具備してもよい。
柵下部に設置するとは、図６に示す布団干具７７のように、柵７の中央付近に取り付けた場合でも布団保持部２が柵の下方に位置し、布団１５の下端部を支える場合は柵下部に設置したと言えるものである。
【００３１】
設置部１の設置される面に滑り止めを具備することで安定した設置が可能となる。布団保持部２の布団と接触する面に滑り止めを具備することで安定した天日干しが可能となる。
柵下部とは、本願発明の布団干具７７を設置した全ての部分が柵下部と言えるものであり、図示した全ての布団干具７７は柵下部に設置していると言えるものである。
布団１５やマットレス１５の下端部とは、布団１５を干す際に下に位置する部分であり、図７の布団下端部は布団１５の横面の長い部分であり、図８は縦の短い部分を指している。
【符号の説明】
【００３２】
１    設置部
２    布団保持部
３    支え部
４    延長部
５    接地脚
６    手摺
７    柵
８    下手摺
９    壁
１０  柵受土台
１１  設置孔
１２  留め具
１３  布団挟み
１４  スライド調節部
１５  布団・マットレス
１６  挟み固定部
１７  通過防止部
７７  布団干具
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
柵下部に設置する設置部に、下端部を支えることで略垂直に維持可能な布団やマットレスを支える布団保持部を具備した全体が柵下部に設置可能な布団干具。
【手続補正２】
【補正対象書類名】明細書
【補正対象項目名】全文
【補正方法】変更
【補正の内容】
【発明の詳細な説明】
【技術分野】
【０００１】
本発明は、ベランダやバルコニー等の柵下部に設置して使用する干し具であり、主に布団を干すことを目的としたものである。布団の表面又は裏面の一面を一度に太陽光に当てることができるもので、従来の布団一面干し具と比べ、明らかにコンパクトに形成することが可能である。
先行文献の布団一面干し具は、ほぼ布団と同サイズの板状や格子状の支えや、複数の縦棒や横棒を並べる等した支えや、棒をクロスさせるなどの方法で、面をもってして布団の面を支えるものが目立つが、これらの支え方は布団の横幅程度の大きさを必要とする大きな装置になってしまう。本発明は必要な一部分を線で支えるため、明らかにコンパクトに形成可能で、干した布団の裏面の通風も極めて高いものである。
また、先行文献の布団表面を天日に当てる発明は、装置のように大きい物が多く、着脱が容易ではないが、本発明の布団干具は下手摺に被せるだけでも設置使用可能で、取り外しも容易にでき、不使用時には取り外す他、設置したままでもさほど邪魔にはならない。何れにしても先行文献と比べて場所をとらない物であり、且つ布団を効率的に干す能力が十分にある状態で形成可能としたものである。
また、布団表面一面を干す目的の干し具は、壁や柵の外側に布団が位置するよう干すものしか見当たらないが、本発明の布団干具は柵の内側（家側。）でも外側でも設置可能に形成されたものである。
その他、他の先行文献と類似しない特徴として極めて小型であるため、布団干具全体が柵下部に設置可能なものである。
本願発明の布団干具は、布団やマットレスの下端部の一部分を支えることで布団の一面干しが可能なものである。
設置に関し、物干し竿を利用する必要がなく、鏡など反射板を設ける必要はないものである。
【背景技術】
【０００２】
布団の一面干しが可能な小型の干し具で、且つ柵の下部に設置するものは先行文献には現時点で確認できなかった。更に追加する特徴として、布団の下端部のみを支える干し具の先行文献は確認できず、類似する干し具はないと言えるが、強いて言えば布団を支える部材が小型な干し具が、布団干し用具（特許文献１に記載）として次のような考案があり、このように記載されている。
バルコニー又は腰窓用手摺りに取り付けられる取り付け部材と、前記取り付け部材の屋内側にほぼ水平ないし上向きに取り付けられ、基部が手摺りの頂縁よりやや下に位置するアームとからなる。取り付け部材に軸を取り付け、アームの基部側に設けられ前記軸を挿通する
ことができかつ軸が挿通された状態で長手方向に摺動可能な幅の長孔に前記軸を挿通し、不使用時にはアームを垂下させる。
この布団干し用具は壁上部の手摺に設置する干し用具で、布団を支えるアーム基部が頂縁より下部に位置するため、布団に日陰が必ず生じ、布団の一面干しが不可能な干し用具である。
【０００３】
布団干し具（特許文献２に記載）として次のような発明があり、このように記載されている。
庭でもベランダでも両方に兼用することが可能で、しかも布団の片面全面が簡単な操作で一度に日干しできるような布団干し具を安価に提供する。連結具により角度調整自在に連結し、各枠体と連結具の長手方向の長さの総和を布団の長さ程度にする。また、連結具には、庭で使用するときの架台か、またはベランダで使用する時の固定具のいずれか一方を選択的に取り付け可能にする。
この布団干し具は、布団の下端部を垂直に保持しているが、設置位置が極一般的な壁の上部であり、柵の下部に設置できる構造ではない。また、装置なみのサイズでかなり大きく、庭用として使うには日当たりのよい広いスペースが必要であり、マンション等で使用する際もかなり邪魔になるものである。ベランダ用として使用するにしても着脱が極めて難儀であり、不使用時に設置したままの状態は邪魔以外に異様な光景である。使用後毎回取り外すのはあまりに大変であり、置き場に困るサイズとなっている。
【先行技術文献】
【特許文献】
【０００４】
【特許文献１】実登３０８８５６４号広報
【特許文献２】特開２００６−４３０７０号広報
【発明の概要】
【発明が解決しようとする課題】
【０００５】
通常布団を干す際に太陽光を受けることができる面は四分の一の面であり、布団を干す作業を四回繰り返す必要がある。そこで本発明の布団干具は、一度に布団の一面を干すことが可能となり、布団の表面と裏面の二面を干すことで布団干しが完了するよう形成することを目的としたものである。
また、布団を横にした状態で布団の下端部を支え、表面一面を天日に当てることが可能となるよう形成することも目的であり、そうすることで布団を柵の上部まで持ち上げなくてすむようにすることも目的である。
その他、従来からある布団干し具等は、布団幅と同サイズのものが多く見られ、かなりスペースを必要としてしまい、特に不使用時に邪魔になってしまう他、着脱が容易でないものである。そこで本発明の布団干具は従来の物と比べ明らかにコンパクトで、着脱が容易な布団干具を提供することを目的とするものである。
【課題を解決するための手段】
【０００６】
上記目的を解決するために請求項１の布団干具は、柵下部に設置する設置部に、下端部を支えることで略垂直に維持可能な布団やマットレスを支える布団保持部を具備した全体が柵下部に設置可能なことを特徴としている。
【０００７】
この請求項１の布団干具によれば、柵の下部に設置する干具であり、干す布団の下端部を略垂直になるよう保持する、布団保持部が具備された布団干具である。
柵の下手摺にフックを引っ掛けるように設置するもの（図１、２等参照。）や、柵に設置部をスライド調節後、留め具により固定設置するもの（図６ａ参照。）や、柵受土台に設置部をスライド調節後、留め具により固定設置するもの（図９参照。）や、柵にはめ込むように設置し、留め具により固定設置するもの（図１２参照。）などがある。また図示した以外の設置方法も含むものである。
フック状の設置部に固定力を求めるなら固定機能として図４ａのように留め具を用いるなど、その他の固定機能を具備してもよい。また、必ず固定機能を具備する必要はない。
【０００８】
布団を支えるための布団保持部は、布団干具の設置部上部に具備する他、下部に具備しても機能するものであり、形状も一つに定めるものではないが、一例としてＪ字状（図１、２、３、４、６、７、９、１０、１１、１２参照。）やＵ字状や（図６参照。）Ｌ字状や（図６参照。）Ｉ字状（３、５、８参照。）を図示している。何れも布団の下端部である極一部を支えることができれば十分であるため、棒状や板状で図示している。布団の下端部を略垂直に支えることが可能なその他の形状も含むものである。
【発明の効果】
【０００９】
通常布団１５を干す際は、布団１５表面の半分を一面とした場合、表面の二面と裏面の二面、合計四面が太陽光にあたるよう布団１５を反す必要があるが、本発明の布団干具７７を使用することで一度に表面又は裏面の全面を干すことが可能となり、布団１５を反す手間を省く効果及び干す時間を半分にする効果がある。
【００１０】
布団干具７７を設置する際、柵７の内側及び外側に設置使用可能なものである。柵７の内側に設置し、布団１５を内側に支えて干すことで、布団１５を柵７の上部まで持ち上げなくても布団１５干しが可能となる効果がある。
【図面の簡単な説明】
【００１１】
【図１】布団干具の斜視図である。
【図２】布団干具の斜視図である。
【図３】ａは布団干具の斜視図であり、ｂは側面図である。
【図４】布団干具の斜視図である。
【図５】ａ布団干具の斜視図であり、ｂは布団干具の斜視図実施例である。
【図６】布団干具の斜視図である。
【図７】布団干具の斜視図実施例である。
【図８】布団干具の斜視図実施例である。
【図９】ａは布団干具の斜視図であり、ｂはａの側面断面図である。
【図１０】布団干具の斜視図実施例である。
【図１１】布団干具の斜視図実施例である。
【図１２】ａは布団干具の斜視図。ｂはａの設置部及び留め具１２の断面図である。
【図１３】布団干具の斜視図実施例である。
【発明を実施するための形態】
【００１２】
以下、本発明を添付図面に示す実施例に基づいて一例を説明する。
【００１３】
布団干具７７の素材の一例としては、合成樹脂素材、木製、金属製やその他の素材を用いて形成してもよく、布団１５を支えることができる強度があるものを使用して形成する。
金属製の物の外側をラバー状の物で覆うよう形成することで、金属の剥き出し感を抑え、同時に滑り止めの効果を付随させることができる。
設置部１の内側（柵７に接地する面。）に、滑り止めを具備することで横滑りを軽減させる他、誤って設置が解除することを防ぐことができる。
また、布団保持部２の布団１５と接触する面に滑り止めを具備することで、布団１５を維持し易くすることができるものである。（延長部４も同様。）
【００１４】
図１に示す布団干具７７は、一対の布団保持部２が具備された布団干具７７である。支え部３の横幅をある程度設けることで安定した布団干しが可能となる。
設置部１はフック形状になっており、柵７の下手摺８に引っ掛けるように設置する。（柵下部に設置する。）図示した布団干具７７は棒状であるが、同じ構造で板状に形成することも可能なものである。
使用方法は、設置された布団干具７７の布団保持部２と柵７との間に布団１５を立てて置くことで、布団１５の表面一面に天日を当てることができる。（図７参照。）
【００１５】
柵７の内側に布団干具７７を設置することで、布団保持部２の先端まで布団１５を持ち上げれば干す事ができ、柵７の上部まで持ち上げる必要がなくなるものである。このように布団１５を干すことで柵越しに天日を受けることが可能となる。
【００１６】
図１に示す布団干具７７は、支え部３が柵受土台１０の角に位置しているが、柵受土台１０の上面で支えるようにしてもよいものである。（全てのタイプの布団干具７７で同じことが言える。）また、足場（床。）で支えるようにしてもよい。（全てのタイプの布団干具７７で同じことが言える。）
図１のｂに示す布団干具７７は、布団保持部２先端に延長部４が具備されている。延長部４は布団保持部２先端に着脱可能に具備し、着脱方法はネジを回し入れるように接続する他、その他の着脱方法を用いてもよいものである。
延長部４を具備することで布団１５の保持能力が向上する。また、布団干具７７を柵７の外側に設置する際、延長部４を持つことで柵７の上面からの設置を容易とする効果も付随される。
【００１７】
図２に示す布団干具７７は、小型な布団干具７７であり、下手摺８に設置部１を設置して使用するものである。基本的には二つを一対として、図示したように使用する。フック形状の設置部１に布団保持部２が具備されたもので、布団保持部２と柵７との間に布団１５を立てて置くことができるものである。図７に示すように布団１５を横にして干すことが可能であり、また布団干具７７の設置間隔を変えて布団１５を縦にして干すことも可能なものである。
布団干具７７を設置した状態で、布団保持部２の上方より差し入れるか、特に布団１５を縦にして干す際には横から差し入れるように干すことが望ましい。
【００１８】
図２の左側に図示した布団干具７７には、通過防止部１７を設けてある。この通過防止部１７を設けた布団干具７７を、図のように柵７の左右に設置部１が位置するよう設置することで固定力が増す効果がある。また、布団干具７７の設置が解除されても、布団干具７７全体が柵７の外側に通過することを防ぐことができる。（落下防止機能。）
図２の布団干具７７は、支え部３先端（図示した下方の横棒部分。）で柵からの通過を防止できるため、支え部３でありながら通過防止部１７でもある。
布団干具７７は柵７と柵７の間を通過できる程横幅を小さく形成することができ、それにより布団干具７７を柵７の外側に設置する際、柵７と柵７の間より布団干具７７を通過させて設置することができるものである。（布団保持部２を外側に向けることができることを指す。）（図１の布団干具７７以外全てのタイプで同じことが言える。）
図２ｂの布団干具７７は、板状の設置部１を具備したもので、布団保持部２は棒状で形成されている。布団保持部２や設置部１は、何れも棒状、板状に形成してもよいものである。
図２ｂ左側の布団干具７７は、布団保持部２に通過防止部１６が具備されている。設置部１に通過防止部１６を具備してもよいが、何れにしても柵７の外側に布団干具７７を設置することが難しくなるデメリットを併せ持つ。
【００１９】
図３に示す布団干具７７は、Ｉ字状の布団保持部２を垂直に具備し、Ｊ字状の布団保持部２を高さ調節可能となるようＩ字状の布団保持部２に設けたものである。Ｊ字状の布団保持部２を上下にスライドさせ、留め具１２で固定することで高さ調節が可能となる。その他の方法で高さ調節機能を具備してもよいものである。
これらの布団保持部２は、図の左側に示すように設置部１の下方に具備してもよく、図の右側に示すように設置部１の上部に具備してもよいものである。
【００２０】
図４ａに示す布団干具７７は、下手摺８に設置された状態を示すものであり、設置部１を設置した後に誤解除することがないよう、固定可能な留め具１２を設けたものである。固定方法は一例であり、その他の固定方も含むものである。全てのタイプの布団干具７７に固定機能を具備してもよいものである。
図４ｂに示す布団干具７７は、柵７にフックを掛けるように設置したものを示している。（柵下部に設置していると言える。下手摺８でなく縦棒である柵７に設置。）
【００２１】
図５ａに示す布団干具７７は、布団保持部２の角度を調節可能にしたものを示すものである。図示した角度調節機能は、形状を変えた（角度を変えた）布団保持部２を用意し、必要に応じて布団保持部２を択一的にセットすることで角度を変えるものである。これは一例であり、その他の角度調節機能も含むものである。
図５ｂに示す布団干具７７は、柵７の内側に設置し、布団保持部２が内側にある状態を図示した実施例である。このように布団１５に角度を付けて干すことで、天日を受けやすくすることができるもので、時間帯によって角度を調節してもよいものである。
また、布団保持部２に挟み固定部１６を具備することで、布団挟み１３の挟持部を固定しやすくすることができる。挟み固定部１６は凹部を形成し壁を立上げ、壁部分に布団挟み１３の挟持部が固定できるようにする他、壁のみで枠のように形成してもよいものである。図示した挟み固定部１６は四角に形成しているが、例えば＋形やＬ形に壁を立上げて形成してもよく、（＋形やＬ形の外周に壁を立ち上げて形成。）その他布団挟み１３の挟持部が固定しやすい形状であればどのような形に形成してもよいものである。
その他、図示した挟み固定部１６は、周囲全てが壁として形成されているが、部分的に壁の途切れが存在するよう形成しても、挟持部を固定しやすくする目的が果たされていればよく、それも壁と言えるものである。
【００２２】
図６ａに示す布団干具７７は、柵７に設置部１を設置する布団干具７７である。布団保持部２を含め、これも柵下部に設置した布団干具７７と言えるものである。左側に示す布団干具７７は、設置部１を左右に伸縮可能に形成し、留め具１２により固定する。支え部３と接地脚５を設けることで布団干具７７の設置が安定する。接地脚５は回転させることで支え部３にネジのように伸縮させることができ、高さを調節することができる。その他の高さ調節機能を具備してもよいものである。
右側に示す布団干具７７は、柵７を挟み込むように設置部１を設置し、留め具１２により固定している。（設置部１断面図は図１２ｂ参照。）
図６ｂは図３に示す高さ調節可能な布団保持部２を具備した布団干具７７であり、板タイプとして図示したものである。高さ調節機能としては、凹凸を設けた着脱式である。
【００２３】
図７は図２ａに示す布団干具７７を用いて、布団１５を横にして干した状態を示す実施例図である。手摺６上部から布団１５を布団挟み１３で固定することで安定した固定を得ることができる。布団保持部２は布団１５の下側にくる部分を支えることができれば十分なため、布団干具７７を小型に形成することが可能となっている。
布団１５を干す際は布団１５の下端部を柵７に沿って布団保持部２まで下げるようにすると布団１５をセットしやすい。通常の布団干しで、敷布団１５は掛け布団１５と比べるとやや大変であるが、本発明の布団干具７７を使用することで柵７の上部まで布団１５全体を上げなくてすむため、比較的容易な布団干しが可能となる。
【００２４】
図８は、図５に示す布団干具７７の実施例である。布団１５を縦に干すことで通常と同じ横幅で干す事が可能で、布団１５やマットレス１５を干すことができる。布団保持部２を長く形成し、安定度を高めてもよい。
挟み固定部１６は布団保持部２の先端に具備された物を図示しているが、先端以外の部位に具備する他、複数の挟み固定部１６を具備してもよいものである。また挟み固定部１６は、布団保持部２に凹凸を設けて着脱自在に形成してもよい。（凹凸を設ける以外の着脱方法も含む。）
支え部３は柵受土台１０の角にくるように設置しても、図８に示すように柵受土台１０の上面にきてもよいものである。
挟み固定部１６の壁９の高さは、布団挟み１３の挟持部が引っ掛かりやすく、固定しやすい高さであれば特に定めるものではない。あくまでも一例であるが、三センチ前後程度の高さを設けてもよいものである。
その他、挟み固定部１６を具備することなく、布団保持部２に直接布団１５を挟持可能な部材を一体的に形成してもよい。（布団保持部２と布団挟み１３が一体に形成されたような物。）（全ての布団干具７７で同じことが言える。）
【００２５】
図９に示す布団干具７７は、下手摺８がない柵７の下部に、柵受土台１０がある場合に設置可能な布団干具７７である。柵受土台１０を挟み込むように凹凸を持つ設置部１を噛み合わせ、（着脱可能や伸縮可能なスライド式など。）留め具１２を用いて固定する。これは一例であり、柵受土台１０に設置可能であれば設置方法や固定方法はその他の方法でもよいものである。
図９ｂの左側に示す図は、柵受土台１０に厚みがある場合の固定であり、右側に示す図は厚みの少ない柵受土台１０に固定する際の断面図である。また、図９ｂ右側の図は、布団保持部２を高さ調節可能にしたものであり、安定度を得るため接地脚５５を具備したタイプである。
図９に示すタイプの布団干具７７は、図１などに示す、手摺６、柵７、下手摺８とからなる柵下部に設置することも可能なものである。（図１の柵下部の柵受土台１０に設置することもできる。）
また、このように柵受土台１０に設置するタイプの布団干具７７の設置部１もフック形状と言えるものである。
【００２６】
図１０に示す布団干具７７は、図２ｂに示す布団保持部２を具備したものであり、柵７の外側に布団保持部２がくるように設置した状態を示すものである。本発明の布団干具７７は布団１５の下端部を略垂直に支える柵下部に設置されたものであり、柵上部の手摺６に設置されたものは、以前出願した干し具、特願２０１２−７９２９５である。本発明の布団干具７７は、柵上部に設置された干し具で干された布団１５の下端部を支えることや、通常の布団干しの際、布団１５の下端部を補助的に支えることも可能なものである。
【００２７】
図１１に示す布団干具７７は、壁９と一体化した柵７の下部に設置するものである。布団干具７７を内側に設置した際、柵７の場合と比べ全体が日陰になる部分が多くなるため、柵７の外側に設置するとよい。柵７が壁９と一体化しているが、柵７がある以上柵下部は存在するため、図９の布団干具７７のように柵受土台１０に設置することができる。柵受土台１０と接触する面が多い設置部１の場合、接触面に滑り止めを設けた際に効果を十分に得ることができる。
このように柵７と壁９が一体になっている場合、図４ｂの布団干具７７や、図６ａの布団干具７７を柵７に設置することも可能である。
【００２８】
図１２に示す布団干具７７は、下手摺８や、図９に示す布団干具７７が設置可能な柵受土台１０がない柵７の場合、縦棒の柵下部に設置部１を設置可能なものを図示したものである。
図１２ｂは設置部１の断面図を図示したものであり、これで柵７を覆うように設置し、留め具１２で固定する。設置部１は柵７下方の足場に接地してもよく、そうすることで安定力が向上する。布団保持部２は凹凸を設けた着脱式で高さ調節可能としたものである。図３に示すようなスライド固定式の高さ調節機能を具備してもよいものである。
また、図１２ｂの断面図を見るとわかるように、図１２に示す布団干具７７の設置部１もフック形状と言えるものである。
【００２９】
図１３に示す布団干具７７は、壁９と一体化した柵７の下部に設置するものである。図１１に示すものと同様、柵７の外側に設置している。布団保持部２に、新たな布団保持部２が具備された布団干具７７である。図示した新たな布団保持部２は板状であるが、棒状に形成してもよい。
布団保持部２が二股に形成されたもので、より安定した布団保持が可能となる。通常の布団保持部２に着脱自在にもう一つの布団保持部２を形成してもよい。また、布団保持部２を伸縮自在に形成してもよく、二つの布団干具７７の間で伸縮可能に具備してもよい。何れにしても趣旨を剥脱しない、布団１５の下端部を支えるものである。
布団１５を横にして干す際は布団挟み１３で手摺６上部から挟んで干し、布団１５を縦にして干す際は柵受土台１０近辺で柵７と布団１５を布団挟み１３で挟んで干してもよい。
【００３０】
以上、本発明を実施例に基づき説明したが、本発明は上記実施例に限定されるものではなく、本発明の趣旨を剥脱しない範囲内で色々な改良、変形が可能であることは容易に推察できるものである。
例えば、布団保持部２の先端に具備された挟み固定部１６は、着脱可能に形成してもよく、布団挟み１３が固定しやすい形状であれば必ず図示した形に形成する必要はない。（布団挟み１３挟持部の固定を目的としてどのような形に形成してもよい。）また、挟み固定部１６は必要に応じて複数具備しても、複数着脱自在に形成してもよい。
全ての部位において板状に形成図示した部分の軽量化のために棒状で形成してもよいものである。
図２に示す通過防止部１７は、必ず定位置に具備するものではなく、例えば布団保持部２の接続部分に具備する他、逆に布団保持部２先端（上部。）に具備してもよく、機能する場所であれば図示する以外の位置に具備してもよいものである。また、複数具備してもよい。
柵下部に設置するとは、図６に示す布団干具７７のように、柵７の中央付近に取り付けた場合でも布団保持部２が柵の下方に位置し、布団１５の下端部を支える場合は柵下部に設置したと言えるものである。
【００３１】
設置部１の設置される面に滑り止めを具備することで安定した設置が可能となる。布団保持部２の布団と接触する面に滑り止めを具備することで安定した天日干しが可能となる。
柵下部とは、本願発明の布団干具７７を設置した全ての部分が柵下部と言えるものであり、図示した全ての布団干具７７は柵下部に設置していると言えるものである。
布団１５やマットレス１５の下端部とは、布団１５を干す際に下に位置する部分であり、図７の布団下端部は布団１５の横面の長い部分であり、図８は横の短い部分を指している。
【符号の説明】
【００３２】
１    設置部
２    布団保持部
３    支え部
４    延長部
５    接地脚
６    手摺
７    柵
８    下手摺
９    壁
１０  柵受土台
１１  設置孔
１２  留め具
１３  布団挟み
１４  スライド調節部
１５  布団・マットレス
１６  挟み固定部
１７  通過防止部
７７  布団干具